(57)【要約】【課題】開口にホックやファスナー等を用いず、更に体型にかかわらず授乳中の乳房を良好に隠すことが可能な授乳服を提供する。【解決手段】授乳服１０は、前身頃１１と、前身頃１１の略中心に設けられ、着用者の身体に対して縦方向に形成されたスリット１４ａと、前身頃の襟首近傍に固定又は着脱可能に固定され、スリット１４ａを介して露出する肌を隠すための覆い布１３と、を備える。授乳服１０では、スリット１４ａ及び／又は覆い布１３を引っ張ることにより、授乳のための授乳口１４を形成する。スリット１４ａと覆い布１３とによって肌を良好に隠すことができ、更に授乳中の乳房を良好に隠すことが可能となる。【選択図】図１
2010159525.tif 000002
【特許請求の範囲】
【請求項１】
前身頃と、
前記前身頃の略中心に設けられ、着用者の身体の上下方向に沿って形成されたスリットと、
前記スリットの内側に設けられ、前記前身頃の襟首近傍に固定又は着脱可能に固定され、前記スリットを介して露出する肌を隠すための覆い布と、を備え、
前記スリット及び／又は前記覆い布を引くことにより、授乳のための開口を形成することを特徴とする授乳服。
【請求項２】
前記覆い布は、前記前身頃の幅より狭い幅であることを特徴とする請求項１に記載の授乳服。
【請求項３】
前記覆い布は前記前身頃の幅とほぼ同じ幅であることを特徴とする請求項１に記載の授乳服。
【請求項４】
前記スリットは、前記前身頃の裾側の一端が開放されていることを特徴とする請求項３に記載の授乳服。
【請求項５】
前記覆い布の側部は斜めに形成された部分を備えることを特徴とする請求項３又は４に記載の授乳服。
【請求項６】
前身頃と、
前記前身頃の略中心に設けられ、着用者の身体の上下方向に沿って形成されたスリットと、
前記スリットの外側に設けられ、前記前身頃の襟首近傍に固定又は着脱可能に固定され、前記スリットを介して露出する肌を隠すための覆い布と、を備え、
前記覆い布の側部は前記前身頃に固定されておらず、前記スリット及び／又は前記覆い布を引くことにより、授乳のための開口を形成することを特徴とする授乳服。
【請求項７】
前記スリットは、前記前身頃の裾側の一端が開放されていることを特徴とする請求項６に記載の授乳服。
【請求項８】
前記覆い布は、前記前身頃の襟首近傍にヨークを用いて固定されていることを特徴とする請求項６又は７に記載の授乳服。
【請求項９】
前身頃と、
前記前身頃に設けられ、着用者の身体の上下方向に沿って形成された少なくとも１つのプリーツと、を備え、
前記プリーツはヒダ山と折り目とを有するプリーツを備え、
授乳のための開口が前記前身頃に形成され、該開口は前記プリーツによって覆われることを特徴とする授乳服。
【請求項１０】
前記開口は、前記折り目の上、又は前記折り目の近傍に形成されることを特徴とする請求項９に記載の授乳服。
【請求項１１】
前記プリーツの前記ヒダ山は、隣に設けられた前記プリーツの前記ヒダ山と突き合わせるように配置され、それぞれの前記折り目に授乳のための前記開口が設けられることを特徴とする請求項９又は１０に記載の授乳服。
【請求項１２】
前記プリーツの前記折り目は、隣に設けられた前記プリーツの前記折り目と突き合わせるように配置され、それぞれの前記折り目に授乳のための前記開口が設けられることを特徴とする請求項９又は１０に記載の授乳服。
【請求項１３】
前記プリーツの前記折り目は、隣に設けられた前記プリーツの前記折り目と突き合わせるように配置され、突き合わされた前記折り目の少なくとも一部は、縫合されており、該縫合部分に前記開口を形成することを特徴とする請求項９又は１０に記載の授乳服。
【発明の詳細な説明】
【技術分野】
【０００１】
本発明は、授乳服に関し、特に婦人用のブラウス、シャツ等の上衣、またはワンピース等の衣服に適用することが可能な授乳服に関するものである。
【背景技術】
【０００２】
産後の女性が乳児に母乳を与える際は、着用している衣服をはだけて肌を露出させる必要がある。この行為を他人の前で行うことは女性にとって大きな抵抗があり、母乳育児中の女性が外出をためらう一因となっている。
【０００３】
また、他人の目を気にする必要のない場所で授乳する場合でも、衣服のボタンの開閉や、衣服をたくしあげてあごで押さえたりすることは面倒であり、授乳行為は頻繁に行う必要があるため、このような行動も頻繁に行う必要がある。このため、授乳行為そのものが産後の女性へストレス、心身への無用の負担を与えることとなり、ただでさえ不安定な精神状態に置かれている産後の女性の健康を損ねる要因となる。
【０００４】
このような要因を取り除くために、例えば特許文献１では、左右の乳房部に相当する部分にそれぞれ縦型の開口部を設けた授乳服が開示されている。また、特許文献２では、開口部を左右二か所に設け、その開口部はファスナーを使用する場合はスライダーを二つ使用することにより位置と大きさが調節できる構成が開示されている。更に、特許文献３では、内側前身頃の左右に、縦に形成されている二つの授乳開きを設け、この内側前身頃を覆うように外側前身頃を設け、２重化された前身頃を具備して構成した授乳用婦人服が記載されている。
【先行技術文献】
【特許文献】
【０００５】
【特許文献１】実用新案登録第３０９７９６８号公報
【特許文献２】実用新案登録第３０７７８５３号公報
【特許文献３】実開平２−１１１１０号公報
【発明の概要】
【発明が解決しようとする課題】
【０００６】
ところで、特許文献１又は２で乳幼児に授乳するときは、アルミホックを外す、もしくはファスナーをスライドさせて授乳口を開放して行なう。特許文献１又は２で開示された授乳服には前身頃の授乳口を覆う覆い布が存在しないので、授乳しないときは授乳口を閉じておかなければならないためにアルミホックやファスナーを用いることが必須となる。しかし、これらの金属製のホックやファスナーはデリケートな乳首に必然的に当たるため、乳首はもとより肌の炎症等を期すこともあり、着心地も含めて好ましいものではなかった。
【０００７】
また、特許文献３のように、授乳するときに左右の乳房を覆い隠すために、内前身頃の外側に外側前身頃を設け、前身頃を２重にしているものもあるが、前述のように授乳口が左右に離れて設けられ、授乳口が左右側方位置にあるため、外側前身頃を設けても授乳口を充分に覆い隠すことは不十分なものであった。また、この特許文献３においても、授乳口には前記特許文献１及び２と同様にホック、ボタン、あるいはファスナーを設けなければならないことを示唆している。
【０００８】
このように、肌の炎症を避けるため、ホックやファスナー等を用いず、開口を形成することが可能であり、更に体型にかかわらず授乳中の乳房を良好に隠すことが可能な授乳服が求められている。
【０００９】
本発明は、上述した問題に鑑みてなされたものであり、開口にホックやファスナー等を用いず、更に体型にかかわらず授乳中の乳房を良好に隠すことが可能な授乳服を提供することを目的とする。
【課題を解決するための手段】
【００１０】
上記目的を達成するため、本発明の第１の観点に係る授乳服は、
前身頃と、前記前身頃の略中心に設けられ、着用者の身体の上下方向に沿って形成されたスリットと、前記スリットの内側に設けられ、前記前身頃の襟首近傍に固定又は着脱可能に固定され、前記スリットを介して露出する肌を隠すための覆い布と、を備え、
前記スリット及び／又は前記覆い布を引くことにより、授乳のための開口を形成することを特徴とする。
【００１１】
上記目的を達成するため、本発明の第２の観点に係る授乳服は、
前身頃と、前記前身頃の略中心に設けられ、着用者の身体の上下方向に沿って形成されたスリットと、前記スリットの外側に設けられ、前記前身頃の襟首近傍に固定又は着脱可能に固定され、前記スリットを介して露出する肌を隠すための覆い布と、を備え、
前記覆い布の側部は前記前身頃に固定されておらず、前記スリット及び／又は前記覆い布を引くことにより、授乳のための開口を形成することを特徴とする。
【００１２】
上記目的を達成するため、本発明の第３の観点に係る授乳服は、
前身頃と、前記前身頃に設けられ、着用者の身体の上下方向に沿って形成された少なくとも１つのプリーツと、を備え、
前記プリーツはヒダ山と折り目とを有するプリーツを備え、
授乳のための開口が前記前身頃に形成され、該開口は前記プリーツによって覆われることを特徴とする。
【発明の効果】
【００１３】
本発明によれば、身体の上下方向に沿ったスリットと、スリットと重ねられるように設けられた部分を有することにより、開口にホックやファスナー等を用いず、更に体型にかかわらず授乳中の乳房を良好に隠すことが可能な授乳服を提供することができる。
【図面の簡単な説明】
【００１４】
【図１】第１実施形態に係る授乳服を示す正面図である。
【図２】授乳服の授乳口を開いた状態を示す図である。
【図３】授乳するために乳房を出した状態を示す図である。
【図４】第２実施形態に係る授乳服を示す正面図である。
【図５】授乳服の授乳口を開いた状態を示す図である。
【図６】授乳するために乳房を出した状態を示す図である。
【図７】第３実施形態に係る授乳服を示す正面図である。
【図８】授乳服の授乳口を開いた状態を示す図である。
【図９】授乳するために乳房を出した状態を示す図である。
【図１０】第４実施形態に係る授乳服を示す正面図である。
【図１１】授乳服の授乳口を開いた状態を示す図である。
【図１２】授乳するために乳房を出した状態を示す図である。
【図１３】第５実施形態に係る授乳服を示す正面図である。
【図１４】授乳服の授乳口を開いた状態を示す図である。
【図１５】授乳するために乳房を出した状態を示す図である。
【図１６】第６実施形態に係る授乳服を示す正面図である。
【図１７】授乳服の授乳口を開いた状態を示す図である。
【図１８】授乳するために乳房を出した状態を示す図である。
【発明を実施するための形態】
【００１５】
本発明の実施形態に係る授乳服について以下、図を用いて説明する。
【００１６】
（第１実施形態）
第１実施形態に係る授乳服１０を図１〜３に示す。図１は授乳服１の正面図であり、図２は授乳口を開けた様子を描いた正面図、図３は授乳するために乳房を出した状態を示す図である。
【００１７】
授乳服（衣服）１０は、図１に示すように、前身頃１１と、後身頃１２と、覆い布１３と、授乳口１４と、を備える。前身頃１１の略中心には、胸部の近傍又は胸部から腹部にかけた位置に授乳口１４が形成される。授乳口１４は、着用者の身体の縦方向に切り込んで形成されたスリット１４ａからなる。覆い布１３は前身頃１１の授乳口１４の裏側に設けられている。授乳口１４の裏側にこの覆い布１３を当てることで、授乳口１４を介して乳房や肌が露出することを防ぐ。
【００１８】
覆い布１３は、前身頃１１に形成された授乳口１４の裏側に設けられており、少なくとも上部１３ａを前身頃１１の襟首又は襟首の近傍に例えば縫製によって固定し、側部１３ｃ，１３ｄは縫製することなく開放している。下部１３ｂに関しては、図１に示すように前身頃１１の裾、又は裾の近傍に縫い付ける形で完全に固定しても良いし、面ファスナーやホックなどで着脱可能に固定しても良い。なお、下部１３ｂは固定せず、開放してもよい。覆い布１３として、いずれの素材を用いた場合も、覆い布１３の下部１３ｂを固定しなくとも、覆い布１３自体の重みで下部１３ｂは裾方向に下がるので、覆い布１３によって授乳時の乳房を隠す効果は十分得られる。
【００１９】
また、覆い布１３の幅は、前身頃１１の幅より狭く形成され、例えば前身頃１１の幅の１／２程度に形成される。なお、本実施形態では、図１に示すように、前身頃１１の幅の１／３程度に形成される。なお、覆い布１３の幅は、所定程度授乳時の乳房を隠すことが可能であれば、適宜変更可能である。例えば、覆い布１３の幅を左右の乳房の間のみに位置する程度に狭くすれば、乳房を露出しやすく、授乳が容易になるが、身体の動きによっては肌が露出する可能性があり、外着としては不向きである。一方、覆い布１３の幅を広く、例えば左右の乳房の乳頭を覆う程度に形成すれば、身体の動きによって自然にはだけることはほとんどなく、授乳口１４から肌が露出することもほとんどないので、外出着としての使用が可能となる。
【００２０】
授乳口１４は、図１に示すように例えば胸部の近傍に着用者の身体の上下方向に沿って形成される。なお、授乳口１４として機能するスリット１４ａの切り込み長さは、授乳可能なものであれば、どの程度であってもよい。例えば授乳服１０を伸縮性の高い素材から形成する場合は、短く形成し、胸部近傍のみに設けてもよく、切り込みを長く形成し、胸部の近傍から腹部の近傍までとしてもよく、更には切り込みの下端を授乳服１１の下端まで設け、スリット１４ａの一端を開放することも可能である。なお、スリット１４ａは、図１では曲線状に形成されているが図１に示すものより、緩やかな曲線状に形成されていてもよく、直線状であってもよい。
【００２１】
次に、授乳服１０の授乳口１４を授乳のために開く様子を図２に示す。スリット１４ａを横（図２の右方向）に引っ張り、授乳口１４を乳首を出すのに十分な程度広げる。この際、スリット１４ａを横に引っ張ることでは十分乳首を露出することが出来ない場合は、覆い布１３の側部１３ｄを更に横（図２の左方向）に引っ張ってもよい。なお、覆い布１３のみを引いてもよい。本実施形態の授乳服１０では、授乳口１４がスリット１４ａによって形成されているため、図２のようにスリット１４ａを横に引いた場合でも、肌と重なる部分が多く、必要以上に肌が露出することを防ぎ、不要な肌の露出を防ぎながら授乳することが可能となる。なお、図２では、着用者の左の乳房を露出する例を挙げて説明しているが、右の乳房を露出する場合も、左と同様に開放することができる。
【００２２】
また、授乳のために乳首１９を出す様子を図３に示す。図３から明らかなように、本実施形態の授乳服１０では、授乳口１４は前身頃の縦方向に形成されたスリット１４ａから構成されるため、肌を露出するために、スリット１４ａの上端から下端の間のいずれの場所を引っ張るかを適宜調節することができる。このように授乳口１４を形成する位置を適宜変更させることができるため、授乳服１０を着用した者の乳首１９の位置に適宜授乳口１４を形成することができる。従って、個人の体型差があったとしても、良好に授乳させることができる。
【００２３】
上述したように、本実施形態の授乳服１０では、授乳口１４（スリット１４ａ）と重ねるように配置させた覆い布１３を備えることにより、ホック、ファスナー等の固定手段を設けることなく、授乳口１４から肌が露出することを抑制することができる。更に、授乳口１４及び／又は覆い布１３を引っ張ることにより、乳首部分のみを露出させることができるため、授乳に必要とされる程度以上に肌が露出することを抑制することが可能である。また、授乳口１４から露出した乳首１９は、スリット１４ａを引いた際に生じる布の皺や覆い布１３を引いた時の布の皺に隠れるため目立ちにくく、更に乳首１９以外の肌は、前身頃１１および覆い布１３によって覆うことができる。これにより、授乳中の乳房を良好に隠すことが可能となる。また、授乳口１４を形成する位置を適宜変更させることができるため、個人の体型差があったとしても、良好に授乳させることができる。
【００２４】
また、本実施形態の授乳服１０では、素材の伸縮性に応じて、スリット１４ａの長さを適宜変更することも、スリット１４ａの一端を開放したりすることも可能であるため、デザインに多様性を持たせることができる。
【００２５】
更に、本実施形態では授乳口１４となるスリット１４ａと重なる部分に覆い布１３を形成することによって肌の露出を抑えるため、用いる布の量を抑えることができ、製造コストを削減することができる。更に、覆い布１３は、上側１３ａ、下側１３ｂのみを縫製するだけでよいため、少ない縫製距離で製作することができ、製造コストの面でも優れている。
【００２６】
（第２実施形態）
第２実施形態に係る授乳服２０を図を用いて説明する。本実施形態の授乳服２０が上述した第１実施形態の授乳服１０と異なるのは、覆い布の幅にある。
【００２７】
第２実施形態に係る授乳服２０を図４〜６に示す。図４は授乳服２０の正面図であり、図５は授乳口を開けた様子を描いた正面図、図６は授乳するために乳房を出した状態を示す図である。
【００２８】
授乳服２０は、前身頃１１と、後身頃１２と、覆い布２３と、授乳口２４と、を備える。前身頃１１の略中心には、胸部の近傍又は胸部から腹部にかけた位置に授乳口２４が形成される。授乳口２４は、前身頃１１の縦方向に切り込んで形成されたスリット２４ａから形成される。覆い布２３は、前身頃１１の授乳口２４の裏側に設けられており、授乳口２４を介して乳房や肌が露出することを防ぐ。本実施形態では、第１実施形態と比較して、この覆い布２３の幅を広く形成している。
【００２９】
覆い布２３は、前身頃１１に形成された授乳口２４の裏側に設けられており、前身頃１１の幅と同程度の幅を備える。覆い布２３は、前身頃１１とほぼ同じ形に形成されてもよいが、覆い布２３の幅が広くなると、スリット２４ａを広げて胸を出す際、覆い布２３を引っ張る量が増え、使用しづらくなる可能性がある。このため、覆い布２３の側部２３ｃ，２３ｄをそれぞれ図４に示すように斜め方向にカットしてもよい。この際、図４に示すように曲線状にカットしてもよく、直線状にカットしてもよい。また、側部２３ｃ，２３ｄの一部は、前身頃１１または後身頃１２と縫い合わせても良い。側部２３ｃ，２３ｄを縫い合わせる部分は、裾側であってもよく、脇部分であってもよい。なお、覆い布２３の下部２３ｂは、前身頃１１の裾、又は裾の近傍に縫い付ける形で完全に固定しても良いし、面ファスナーやホックなどで着脱可能に固定しても良い。なお、下部２３ｂは固定せず、開放してもよい。覆い布２３として、いずれの素材を用いた場合も、覆い布２３の下部２３ｂを固定しなくとも、覆い布２３自体の重みで下部２３ｂは裾方向に下がるので、覆い布２３によって授乳時の乳房を隠す効果は十分得られる。
【００３０】
授乳口２４は、図４に示すように、前身頃１１の略中心の胸部の近傍に設けられる。なお、スリット２４ａの切り込み長さは、授乳可能なものであれば、どの程度であってもよい。例えば授乳服２０を伸縮性の高い素材から形成する場合は、短く形成し、胸部近傍のみに設けてもよく、切り込みを長く形成し、胸部の近傍から腹部の近傍までとしてもよく、更には切り込みの下端を授乳服２０の下端まで設け、スリット２４ａの一端を開放することも可能である。なお、スリット２４ａは、図４では曲線状に形成されているが図４に示すものより、緩やかな曲線状に形成されていてもよく、直線状であってもよい。
【００３１】
次に、授乳服２０の授乳口２４を授乳のために開く様子を図５に示す。スリット２４ａを横（図５の右方向）に引っ張り、授乳口２４を乳首を出すのに十分な程度広げる。この際、スリット２４ａを横に引っ張ることでは十分乳首を露出することが出来ない場合は、覆い布２３の側部２３ｄを更に横（図５の左方向）に引っ張ってもよい。本実施形態の授乳服２０では、授乳口２４がスリット２４ａによって形成されているため、図５のようにスリット２４ａを横に引いた場合でも、肌と重なる部分が多く、必要以上に肌が露出することを防ぎ、不要な肌の露出を防ぎながら授乳することが可能となる。なお、図５では、着用者の左の乳房を露出する例を挙げて説明しているが、右の乳房を露出する場合も、左と同様に開放することができる。
【００３２】
また、授乳のために乳首１９を出す様子を、図６に示す。図６から明らかなように、本実施形態の授乳服２０では、授乳口２４は、縦方向に形成されたスリット２４ａからなるため、肌を露出するために、スリット２４ａの上端から下端の間のいずれの場所を引っ張るかを適宜調節することができる。このように授乳口２４を作る位置は適宜変更することができるため、授乳服２０を着用した者の乳首１９の位置に適宜授乳口２４を形成することができる。従って、個人の体型差があったとしても、良好に授乳させることができる。
【００３３】
上述したように、本実施形態の授乳服２０は、第１実施形態と同様の効果を有しており、覆い布２３を備えることにより、ホック、ファスナー等の固定手段を設けることなく、授乳口２４から肌が露出することを抑制することができる。また、個人の体型差があったとしても、授乳中の乳房を良好に隠すことができ、良好に授乳させることができる。特に本実施形態では、覆い布２３の幅を広く形成することによって、身体の動きによって自然にはだけることはほとんどなく、授乳口２４から肌が露出することもほとんどないので、外出着としての使用が可能となる。
【００３４】
（第３実施形態）
第３実施形態に係る授乳服３０を図７〜図９に示す。本実施形態の授乳服３０が上述した第１実施形態、第２実施形態の授乳服と異なるのは、覆い布が前身頃の前面（外側）に配置されている点にある。
【００３５】
授乳服（衣服）３０は、前身頃１１と、後身頃１２と、覆い布３３と、授乳口３４と、袖３５と、を備える。前身頃１１の略中心の胸部の近傍、又は胸部から腹部にかけた位置に授乳口３４が形成される。授乳口３４は、縦方向に切り込んで形成されたスリット３４ａからなる。覆い布３３は前身頃１１の授乳口３４の表側に設けられている。授乳口３４の表側にこの覆い布３３を当てることで、授乳口３４を介して乳房や肌が露出することを防ぐ。
【００３６】
覆い布３３は、前身頃１１に形成された授乳口３４の表側に設けられている。覆い布３３の上部３３ａは、前身頃１１又は後身頃１２に固定されている。側部３３ｃ，３３ｄ及び下端３３ｂは前身頃１１又は後身頃１２に固定されず開放されている。
【００３７】
なお、上部３３ａは図７に示すように肩線部分の２箇所に設けられる必要はなく、前身頃１１のいずれかの箇所、又は後身頃１２のいずれかの箇所でもよい。また、固定は、縫製によってもよく、ボタン、スナップ等の着脱可能な方法で固定されてもよい。側部３３ｃ，３３ｄについても、完全に固定されている必要はなく、一部を前身頃１１、袖等に固定、又は着脱可能に固定してもよい。更に下部３３ｂは、覆い布３３として、いずれの素材を用いた場合も、覆い布３３の下部３３ｂを固定しなくとも、覆い布３３自体の重みで下部３３ｂは裾方向に下がるので、覆い布３３によって授乳時の乳房を隠す効果は十分得られる。もっとも、下部３３ｂを固定、又は着脱可能に固定することも可能である。
【００３８】
また、覆い布３３は、授乳口３４を介して露出する肌を隠すことが可能であれば、幅、デザインを適宜変更可能である。例えば、覆い布３３を着脱可能に形成し、様々なデザインの覆い布を形成し、付け替えることができるようにしてもよい。このようにすると、１枚の衣服を複数のデザインとすることができる。
【００３９】
授乳口３４は、図７に示すように、例えば胸部の近傍に設けられる。なお、授乳口３４として機能するスリット３４ａの切り込み長さは、授乳可能なものであれば、どの程度であってもよい。伸縮の大きい素材であれば短い切り込みでも授乳が可能であるし、また切り込みを長くすることも可能であり、更には切り込みの下端を授乳服３０の下端まで設け、スリット３４ａの一端を開放することも可能である。なお、スリット３４ａは、図７では曲線状に形成されているが図７に示すものより、緩やかな曲線状に形成されていてもよく、直線状であってもよい。
【００４０】
次に、授乳服３０の授乳口３４を授乳のために開く様子を図８に示す。覆い布３３を横方向（図８の左方向）へずらし、スリット３４ａを横（図８の右方向）へずらすことで、授乳口３４を乳首を出すのに十分な程度広げる。本実施形態の授乳服３０では、覆い布３３の幅、前身頃１１の幅が十分あるため、このように布をかきわけることで授乳口３４を形成しても、覆い布３３及び／又は前身頃１１が肌と重なる部分が多く、必要以上に肌が露出することを防ぎ、不要な肌の露出を防ぎながら授乳することが可能となる。なお、図８では、着用者の左の乳房を露出する例を挙げて説明しているが、右の乳房を露出する場合も、左と同様に開放することができる。
【００４１】
また、授乳のために乳首１９を出す様子を図９に示す。図９から明らかなように、本実施形態の授乳服３０では、授乳口３４は縦方向に形成されたスリット３４ａ、覆い布３３をずらすことで形成される。これにより、スリット３４ａの上端から下端の間のいずれの場所を引っ張るかを適宜調節することができ、個人の体型差があったとしても、良好に授乳させることができる。また、図９に示すように、覆い布３３及び／又は前身頃１１をずらした際のひだによって、乳首１９を良好に隠すことができる。同様に乳首１９以外の肌は覆い布３３及び前身頃１１によって良好に隠すことができる。
【００４２】
このように、本実施形態の授乳服３０では、スリット３４ａと覆い布３３とを備えることにより、ホック、ファスナー等の固定手段を設けることなく、授乳口３４から肌が露出することを抑制することができる。更に、乳首部分のみを露出させることができるため、授乳に必要とされる程度以上に肌が露出することを抑制することが可能である。また、個人の体型差があったとしても、良好に授乳させることができる。
【００４３】
特に本実施形態の授乳服３０を、覆い布３３の下部３３ｂを固定せず形成すると、縫製工程を削減することが可能であるだけでなく、授乳時に覆い布３３を寄せたとしても、無理に引っ張り上げることがなく、生地の損傷や不自然なしわがよることを防ぎ、見た目の美しさを保つことができる。更に、下部３３ｂが固定されていないため、肌寒い時には覆い布３３を乳児にかけて保温することもできる。
【００４４】
更に、覆い布３３の上部３３ａを着脱可能とし、交換することにより授乳服３０のデザインに多様性を持たせることが可能である。
【００４５】
（第４実施形態）
第４実施形態に係る授乳服４０を図１０〜図１２に示す。本実施形態の授乳服４０が上述した第３実施形態の授乳服３０と異なるのは、スリットの下端が開放されている点と、ヨークを備える点にある。
【００４６】
授乳服（衣服）４０は、図１０に示すように、右前身頃４１ａと、左前身頃４１ｂと、後身頃１２と、覆い布４３と、授乳口４４と、ヨーク４６と、袖３５と、を備える。本実施形態では前身頃は２枚仕立てであり、スリット４４ａは、右前身頃４１ａと左前身頃４１ｂとから形成される。覆い布４３は上部４３ａがヨーク４６に固定されている。授乳口４４の表側にこの覆い布４３を当てることで、授乳口４４を介して乳房や肌が露出することを防ぐ。
【００４７】
右前身頃４１ａは、上端がヨーク４６に固定され、脇線は後身頃１２に固定され、左前身頃４１ｂと対向する部分と裾とは開放されている。同様に左前身頃４１ｂは、上端がヨーク４６に固定され、脇線は後身頃１２に固定され、右前身頃４１ａと対向する部分と裾とは開放されている。右前身頃４１ａと左前身頃４１ｂとが対向する部分は、開放されることによりスリット４４ａとして機能する。スリット４４ａは、着用者の身体の略中心に縦方向に設けられる。
【００４８】
覆い布４３は、授乳口４４の表側に設けられている。覆い布４３の上部４３ａは、ヨーク４６に固定され、側部４３ｃ，４３ｄと下部４３ｂとは右前身頃４１ａ又は左前身頃４１ｂには固定されず開放されている。
【００４９】
授乳口４４は、図１０に示すように、例えば胸部の近傍に設けられる。なお、授乳口４４として機能するスリット４４ａの長さは、授乳可能なものであれば、どの程度であってもよい。
【００５０】
次に、授乳服４０の授乳口４４を授乳のために開く様子を図１１に示す。覆い布４３を横方向（図１１の左方向）へずらし、スリット４４ａ（図１１では、左前身頃４１ｂ）を横（図１１の右方向）へずらすことで、授乳口４４を乳首を出すのに十分な程度広げる。本実施形態の授乳服４０では、覆い布４３の幅、右前身頃４１ａ及び左前身頃４１ｂの幅が十分あるため、このように布をかきわけることで授乳口４４を形成しても、覆い布４３及び／又は左右の前身頃４１ａ，４１ｂが肌と重なる部分が多く、必要以上に肌が露出することを防ぎ、不要な肌の露出を防ぎながら授乳することが可能となる。
【００５１】
また、授乳のために乳首１９を出す様子を図１２に示す。図１２から明らかなように、本実施形態の授乳服４０では、授乳口４４は、縦方向に形成されたスリット４４ａと覆い布４３とをずらすことで形成される。これにより、スリット４４ａの上端から下端の間のいずれの場所を開放するかを適宜調節することができ、個人の体型差があったとしても、良好に授乳させることができる。また、図１２に示すように、覆い布４３及び／又は前身頃（右前身頃４１ａ又は左前身頃４１ｂ）をずらした際のひだによって、乳首１９を良好に隠すことができる。同様に乳首１９以外の肌は覆い布４３及び左右の前身頃によって良好に隠すことができる。なお、図１２では、着用者の左の乳房を露出する例を挙げて説明しているが、右の乳房を露出する場合も、左と同様に開放することができる。
【００５２】
このように、本実施形態の授乳服４０では、スリット４４ａと覆い布４３とを備えることにより、ホック、ファスナー等の固定手段を設けることなく、授乳口４４から肌が露出することを抑制することができる。更に、乳首部分のみを露出させることができるため、授乳に必要とされる程度以上に肌が露出することを抑制することが可能である。また、個人の体型差があったとしても、良好に授乳させることができる。
【００５３】
本実施形態の授乳服４０は、第３実施形態と同様に覆い布４３の下部４３ｂが固定されていないため、縫製工程を削減することが可能であり、授乳時に覆い布４３を寄せたとしても、不自然なしわがよることを防ぎ、見た目の美しさを保つことができる。更に、肌寒い時には覆い布４３を乳児にかけて保温することもできる。
【００５４】
特に本実施形態の授乳服４０では、スリット４４ａの下端を開放し、前身頃を右前身頃４１ａと左前身頃４１ｂとに分割することにより、授乳口４４を特に大きく開くことができ、更にはウエストまわり、ヒップまわりに余裕をもたせることができる。従って、産院での授乳指導等の際に胸の露出を容易にすることもできる。更には妊娠・出産前後の腹部から腰部の体型変化に対応することが可能であるため、着用時期が限られず経済的である。また、本実施形態では左右対称であるため、使用性や製作性が良好である。なお、上述した実施形態では覆い布４３、左右の前身頃がヨーク４６に固定されているが、ヨーク４６を省略することが可能である。例えば、覆い布４３は第３実施形態のように固定されていてもよく、前身頃を左右に分割せず、前身頃上端から切り込みを形成してもよい。
【００５５】
（第５実施形態）
第５実施形態に係る授乳服５０を図１３〜図１５に示す。本実施形態の授乳服５０が上述した各実施形態の授乳服と異なるのは、前身頃とは別に覆い布を設けず、前身頃にプリーツ（ひだ）を形成し、プリーツによって授乳口を覆う点にある。
【００５６】
授乳服（衣服）５０は、図１３に示すように、前身頃５１と、授乳口５４と、後身頃１２と、袖３５とを備える。
【００５７】
前身頃５１は、図１３に示すように二つのプリーツ（ひだ）が形成されており、ひだ山５１ａ，５１ｂと、折り目５１ｃ，５１ｄと、を備える。スリット（開口）５４ａは、折り目５１ｃ，５１ｄの乳房の近傍に、各折り目に沿うように設けられる。スリット５４ａは、着用者の身体に対して縦方向に設けられる。スリット５４ａは、折り目５１ｃ，５１ｄに沿うように折り目上に形成される。なお、スリット５４ａを設ける位置はプリーツによって覆われ、隠すことが可能であれば、いずれに設けられていてもよく、折り目の近傍に設けられていてもよい。また、本実施形態ではひだ山５１ａの折り目と、ひだ山５１ｂの折り目とが突き合わせるように設けられている、いわゆるインバーティド・プリーツである。
【００５８】
図１３に示すように、本実施形態では授乳口５４は、それぞれ布を折りたたむようにして形成されたプリーツ（ひだ）によって覆われる位置に形成されている。これにより、授乳をしない時の肌の露出を防いでいる。本実施形態では、前身頃５１全体に対して２つのひだを設ける構成であるため、ひだの幅を広くとることができ、良好に授乳口５４を隠すことができる。
【００５９】
なお、授乳口５４ａの大きさは適宜変更することが可能である。また、設けるプリーツも二つに限られず一つであってもよいし、三つ以上であってもよい。一つのプリーツを設ける場合は、開口を中心近傍に配置するように形成するとよい。三つ以上のプリーツを設ける場合は、いずれか一つのプリーツに、又は二つのプリーツに図１３に示すように授乳口５４を設けてもよいし、全てのプリーツに授乳口５４を設けてもよい。また、プリーツの幅は全て同一である必要はなく、適宜変化させてもよい。
【００６０】
次に、授乳服５０の授乳口５４を授乳のために開く様子を図１４に示す。本実施形態ではひだ山５１ｂを開き（図１４では右方向）、スリット５４ａの左右を適宜引っ張ることにより授乳口５４を広げる。本実施形態の授乳服５０では、スリット５４ａを広げることにより、授乳口５４を広げるため、必要以上に肌が露出することを防ぐことができる。更に本実施形態では、ひだの幅を十分とってあるため、ひだによって露出する肌を隠すことができる。
【００６１】
また、授乳のために乳首１９を出す様子を、図１５に示す。図１５から明らかなように、授乳口５４は、縦方向に形成されたスリット５４ａから形成されるため、スリット５４ａの上端から下端の間のいずれの場所を引っ張るかを適宜調節することができ、個人の体型差があったとしても、良好に授乳させることができる。また、図１５に示すように、乳首１９は授乳口５４を広げた際の布のしわによって目立ちにくく、更に乳首以外の部分はひだによって十分隠すことが可能である。
【００６２】
このように本実施形態の授乳服５０では、スリット５４ａを備えることにより、ホック、ファスナー等の固定手段を設けることなく、更にひだによって授乳口５４から肌が露出することを抑制することができる。更に、乳首部分のみを露出させることができるため、授乳に必要とされる程度以上に肌が露出することを抑制することが可能である。
また、個人の体型差があったとしても、良好に授乳させることができる。
【００６３】
特に本実施形態の授乳服５０は、前身頃５１が一枚の布から製作することができるため、布を無駄にすることなく少ない布の量と縫製工程で製作することができる。更に、本実施形態の授乳服５０は、連続した布を折りたたんで形成することにより、ウエストおよびヒップ寸法がフリーとなることから、腹部から腰部にかけての寸法変化が大きい、妊娠・出産前後の腹部から腰部の体型変化に対応することが可能であるため、着用時期が限られず経済的である。
【００６４】
（第６実施形態）
第６実施形態に係る授乳服６０を図１６〜図１８に示す。本実施形態の授乳服６０が上述した第５実施形態の授乳服５０と異なるのは、プリーツの向きにある。
【００６５】
授乳服（衣服）６０は、図１６に示すように、前身頃６１と、授乳口６４と、後身頃１２と、袖３５とを備える。
【００６６】
前身頃６１は、図１６に示すように二つのプリーツ（ひだ）が形成されており、ひだ山６１ａ，６１ｂと、折り目６１ｃ，６１ｄと、を備える。折り目６１ｃ，６１ｄの乳房の近傍にはそれぞれスリット６４ａが設けられる。スリット６４ａは、着用者の身体に対して縦方向に設けられる。また、本実施形態では折り目６１ｃ，６１ｄとが内側で突き合わせるように設けられている、いわゆるボックスプリーツである。
【００６７】
図１６に示すように、授乳口６４は、それぞれ布を折りたたむようにして形成されたひだによって隠されている。これにより、授乳をしない時の肌の露出を防いでいる。特に本実施形態では、前身頃６１全体に対して２つのひだを設ける構成であるため、ひだの幅を広くとることができ、良好に授乳口６４を隠すことができる。
【００６８】
なお、スリット６４ａの大きさ、位置等は第５実施形態と同様に適宜変更することが可能である。また、設けるプリーツも二つに限られず一つであってもよいし、三つ以上であってもよい。特に本実施形態では、折り目６１ｃ，６１ｄが内側で突き合わせるように形成されている。このため、突き合わされた二つの折り目の一部又は全体を一つにまとめ、授乳口６４を着用者の身体の中心領域に一つ設ける構成としてもよい。
【００６９】
次に、授乳服６０の授乳口６４を授乳のために開く様子を図１７に示す。本実施形態ではひだ山６１ｂを開き（図１７では右方向）、スリット６４ａの左右を適宜引っ張ることにより授乳口６４を広げる。本実施形態の授乳服６０では、スリット６４ａを広げることにより、授乳口６４を広げるため、必要以上に肌が露出することを防ぐことができる。更に本実施形態では、ひだの幅を十分とってあるため、ひだによって露出する肌を隠すことができる。
【００７０】
また、授乳のために乳首１９を出す様子を、図１８に示す。図１８から明らかなように、授乳口６４は、縦方向に形成されたスリット６４ａから形成されるため、スリット６４ａの上端から下端の間のいずれの場所を引っ張るかを適宜調節することができ、個人の体型差があったとしても、良好に授乳させることができる。また、図１８に示すように、乳首１９は授乳口６４を広げた際の布のしわによって目立ちにくく、更に乳首１９以外の部分はひだによって十分隠すことが可能である。
【００７１】
本実施形態の授乳服６０では、スリット６４ａを備えることにより、ホック、ファスナー等の固定手段を設けることなく、更にひだによって授乳口６４から肌が露出することを抑制することができる。更に、乳首部分のみを露出させることができるため、授乳に必要とされる程度以上に肌が露出することを抑制することが可能である。また、個人の体型差があったとしても、良好に授乳させることができる。
【００７２】
特に本実施形態の授乳服６０は、前身頃６１が一枚の布から製作することができるため、布を無駄にすることなく少ない布の量と縫製工程で製作することができる。更に、本実施形態の授乳服６０は、連続した布を折りたたんで形成することにより、ウエストおよびヒップ寸法がフリーとなることから、腹部から腰部にかけての寸法変化が大きい、妊娠・出産前後の腹部から腰部の体型変化に対応することが可能であるため、着用時期が限られず経済的である。
【００７３】
本発明は上述した各実施形態に限られず、様々な変形及び応用が可能である。例えば
上述した各実施形態の授乳服は、上衣として仕立てられても良いし、ワンピースまたはジャンバースカート、ベスト等の形で仕立てられても良い。
【００７４】
また、各実施形態を適宜組み合わせることも可能である。例えば、第４実施形態に示したヨークをその他の実施形態の授乳服に適用してもよい。更に、第５実施形態の授乳口５４、第６実施形態の授乳口６４に第１実施形態に示すような覆い布を設け、授乳口５４，６４から肌が露出することを防いでもよい。
【符号の説明】
【００７５】
１０，２０，３０，４０，５０，６０・・・授乳服（衣服）、１１，５１，６１・・・前身頃、１２・・・後身頃、１３，２３，３３，４３・・・覆い布、１４，２４，３４，４４，５４，６４・・・授乳口、１４ａ，２４ａ，３４ａ，４４ａ・・・スリット、１９・・・乳首、３５・・・袖、４６・・・ヨーク、４１ａ・・・右前身頃、４１ｂ・・・左前身頃、５１ａ，５１ｂ，６１ａ，６１ｂ・・・ヒダ山、５１ｃ，５１ｄ，６１ｃ，６１ｄ・・・折り目
【図１】
2010159525.tif 000003
【図２】
2010159525.tif 000004
【図３】
2010159525.tif 000005
【図４】
2010159525.tif 000006
【図５】
2010159525.tif 000007
【図６】
2010159525.tif 000008
【図７】
2010159525.tif 000009
【図８】
2010159525.tif 000010
【図９】
2010159525.tif 000011
【図１０】
2010159525.tif 000012
【図１１】
2010159525.tif 000013
【図１２】
2010159525.tif 000014
【図１３】
2010159525.tif 000015
【図１４】
2010159525.tif 000016
【図１５】
2010159525.tif 000017
【図１６】
2010159525.tif 000018
【図１７】
2010159525.tif 000019
【図１８】
2010159525.tif 000020